(57)【要約】【課題】塗膜転写をガイドする十分な長さを確保しつつ，小型な塗膜転写具用の転写ガイドを提供する。【解決手段】平板の平面に長方形状の貫通長孔を設けた塗膜転写具用の転写ガイドであって，前記平板全体の長さが変更可能であることを特徴とする塗膜転写具用の転写ガイド。さらには，前記転写ガイドが少なくとも２枚の平板で構成され，一方の平板が他方の平板に対してスライドすることによって前記平板全体の長さが変更可能であり，一方の平板が他方の平板に対してスライドしないように固定する手段を有する塗膜転写具用の転写ガイド。【選択図】図１
2014213553.tif 000002
【特許請求の範囲】
【請求項１】
平板の平面に長方形状の貫通長孔を設けた塗膜転写具用の転写ガイドであって，前記平板全体の長さが変更可能であることを特徴とする塗膜転写具用の転写ガイド。
【請求項２】
前記転写ガイドが少なくとも２枚の平板で構成され，一方の平板が他方の平板に対してスライドすることによって前記平板全体の長さが変更可能であり，一方の平板が他方の平板に対してスライドしないように固定する手段を有することを特徴とする請求項１に記載の塗膜転写具用の転写ガイド。
【請求項３】
前記転写ガイドの長孔に塗膜転写具の転写ヘッドを挿通し，転写ガイドの下に置いた被転写面に前記転写ヘッドを押圧しつつ，前記転写ヘッドを前記長孔に沿って移動することにより，前記被転写面に塗膜を転写可能な塗膜転写具と請求項１又は２に記載の転写ガイドのセット。
【請求項４】
前記転写ガイドの長孔の幅が前記長孔に挿通する部分の転写ヘッドの幅よりも大きく，その差が０．２ｍｍ以上１．０ｍｍ以下であることを特徴とする請求項３に記載の塗膜転写具と転写ガイドのセット。
【請求項５】
前記転写ガイドに塗膜転写具を保持する保持部を設けたことを特徴とする請求項３又は４に記載の塗膜転写具と転写ガイドのセット。
【請求項６】
前記転写ガイドを，塗膜転写具に脱着可能な転写ヘッドを覆う転写ヘッドカバーと一体に設けたことを特徴とする請求項３又は４に記載の塗膜転写具と転写ガイドのセット。
【請求項７】
前記転写ガイドが転写台を有し，前記転写台は前記長孔の長辺と平行な方向に転写ガイド上を移動可能であり，転写ガイドの下に置いた被転写面に対して塗膜転写具の転写ヘッドを押圧可能な状態で，前記転写台は塗膜転写具を保持し，前記転写台が塗膜転写具を保持した状態で，転写ヘッドを被転写面に押圧しつつ，前記転写台が転写ガイド上を移動することにより，前記被転写面に塗膜が転写可能であることを特徴とする塗膜転写具と請求項１又は２に記載の転写ガイドのセット。
【発明の詳細な説明】
【技術分野】
【０００１】
本発明は，文字修正用塗膜，接着用粘着膜，装飾用塗膜等を被転写面に押圧転写するための塗膜転写具用の転写ガイド，特に塗膜転写具における塗膜テープから被転写面に対して塗膜を必要なだけ正確に転写するために用いられる塗膜転写具用の転写ガイドの構造，及び，塗膜転写具と当該転写ガイドのセットに関する。
【背景技術】
【０００２】
従来の塗膜転写具の転写ガイドには，特許文献１や特許文献２のようなものがある。図８は，特許文献１の転写ガイドＹ（特許文献１中では，修正テープ用定規と呼んでいる）の正面図である。転写ガイドＹは，定規本体の長側縁部に対して平行に配置される案内長孔の幅を，定規本体の短側縁部方向にスライド長孔に沿って案内されつつスライド自在となるスライダーを定規本体上に重複載置した上，このスライダーを定規本体の短側縁部方向に，案内長孔と平行を維持するように適宜スライドさせることで塗膜転写具の転写ヘッドの幅に調整する構成となっている。
【０００３】
このタイプの転写ガイドＹによれば，定規本体の長側縁部に対して平行に配置される案内長孔の内周縁と上記スライダーの端縁部により案内長孔内で転写ヘッドを挟持することで，この塗膜転写具を構成する転写ヘッドは安定するから，この定規本体の案内長孔内で修正作業のため塗膜転写具の転写ヘッドを摺動させても，転写ヘッドの揺動を抑制することができ，作業者は簡易且つ確実に修正作業を行うことができる。
【０００４】
図９は，特許文献２の転写ガイドＺ（特許文献２中では，修正テープ用定規と呼んでいる）の正面図である。転写ガイドＺは，比較的大きな面積を持たせた定規本体の中央上下に二つの横長の穴を設けることによって直線定規部４１ａと，同４１ｂとを備える横長の定規部４１ｃを形成し，定規部４１ｃを包むように抱え込んでこれに沿ってそれぞれ別個にスライド可能な第１カーソル４２と第２のカーソル４３が設けられている。４２ａ，４２ｃ，４３ａ，４３ｃはそれぞれテープカット部であり，その縁部４２ｂ，４２ｄ，４３ｂ，４３ｄの厚みが最小となるテーパ状となっている。
【０００５】
このタイプの転写ガイドによれば，左右両利き用とすることができ，しかも修正箇所の始点，終点，そしてその間の，計３点についての正確なガイド機能が得られるものである。また，テープカット部をテーパ状とすることで，修正終了点における修正テープの切断を直線状にきれいに行うことができるものとなる。
【０００６】
【特許文献１】特開平１０−１５７３９１号公報
【特許文献２】特許平１０−３１５６８８号公報
【発明の開示】
【発明が解決しようとする課題】
【０００７】
しかし，特許文献１の転写ガイドＹ，特許文献２の転写ガイドＺともに，転写をガイドする長さを十分に長くするために，塗膜転写具に比べて大きなものとなり，塗膜転写具とセットで持ち運ぶためには，大きな収納容器が必要となるなど，使い勝手が非常にわるいものであった。一方，転写ガイドを小型化すると，一度に塗膜を転写する長さを十分に確保できないなどの問題があった。
【０００８】
本発明は，上記の点に鑑み，塗膜転写をガイドする十分な長さを確保しつつ，小型な塗膜転写具用の転写ガイドを提供することを目的とする。
【課題を解決するための手段】
【０００９】
第１発明は，平板の平面に長方形状の貫通長孔を設けた塗膜転写具用の転写ガイドであって，前記平板全体の長さが変更可能であることを特徴とする塗膜転写具用の転写ガイドである。
【００１０】
第２発明は，前記転写ガイドが少なくとも２枚の平板で構成され，一方の平板が他方の平板に対してスライドすることによって前記平板全体の長さが変更可能であり，一方の平板が他方の平板に対してスライドしないように固定する手段を有することを特徴とする第１発明に記載の塗膜転写具用の転写ガイドである。
【００１１】
第３発明は，前記転写ガイドの長孔に塗膜転写具の転写ヘッドを挿通し，転写ガイドの下に置いた被転写面に前記転写ヘッドを押圧しつつ，前記転写ヘッドを前記長孔に沿って移動することにより，前記被転写面に塗膜を転写可能な塗膜転写具と第１又は第２発明に記載の転写ガイドのセットである。
【００１２】
第４発明は，前記転写ガイドの長孔の幅が前記長孔に挿通する部分の転写ヘッドの幅よりも大きく，その差が０．２ｍｍ以上１．０ｍｍ以下であることを特徴とする第３発明に記載の塗膜転写具と転写ガイドのセットである。
【００１３】
第５発明は，前記転写ガイドに塗膜転写具を保持する保持部を設けたことを特徴とする第３又は第４発明に記載の塗膜転写具と転写ガイドのセットである。
【００１４】
第６発明は，前記転写ガイドを，塗膜転写具に脱着可能な転写ヘッドを覆う転写ヘッドカバーと一体に設けたことを特徴とする第３又は第４発明に記載の塗膜転写具と転写ガイドのセットである。
【００１５】
第７発明は，前記転写ガイドが転写台を有し，前記転写台は前記長孔の長辺と平行な方向に転写ガイド上を移動可能であり，転写ガイドの下に置いた被転写面に対して塗膜転写具の転写ヘッドを押圧可能な状態で，前記転写台は塗膜転写具を保持し，前記転写台が塗膜転写具を保持した状態で，転写ヘッドを被転写面に押圧しつつ，前記転写台が転写ガイド上を移動することにより，前記被転写面に塗膜が転写可能であることを特徴とする塗膜転写具と第１又は第２発明に記載の転写ガイドのセットである。
【発明の効果】
【００１６】
本発明の塗膜転写具用の転写ガイドでは，前記転写ガイド全体の長さが変更可能であるので，長い距離を連続して塗膜転写する必要がある場合にのみ転写ガイド全体を長くすれば良く，短い距離を転写する場合や不使用時には，転写ガイドを短い状態にでき，転写ガイドが小型化できる。
【図面の簡単な説明】
【００１７】
【図１】本発明の第１実施形態の転写ガイドＡ
【図２】本発明の第２実施形態の転写ガイドＢと塗膜転写具Ｂ１
【図３】本発明の第３実施形態の転写ガイドＣと塗膜転写具Ｃ１
【図４】本発明の第４実施形態の転写ガイドＤと塗膜転写具Ｄ１
【図５】本発明の第５実施形態の転写ガイドＥと塗膜転写具Ｅ１
【図６】本発明の第１実施形態の転写ガイドに，持ち手を設けた実施形態である転写ガイドＦＡと転写ガイドＦＢ
【図７】本発明の第４実施形態のうちスライドにより転写ガイド全体長さを変更する実施形態である転写ガイドＧと塗膜転写具Ｇ１
【図８】従来の転写ガイドＹ
【図９】従来の転写ガイドＺ
【発明を実施するための形態】
【００１８】
図１に，本発明の第１実施形態の転写ガイドＡを示す。図１（ａ１）は転写ガイド全体を短くした状態の正面図であり，図１（ａ２）は転写ガイド全体を短くした状態の側面図である。図１（ｂ１）は転写ガイド全体を長くした状態の正面図であり，図１（ｂ２）は転写ガイド全体を長くした状態の側面図である。図１（ｃ）は，図１（ａ１）のｌ−ｌ断面図及びその一部分の拡大図である。図１（ｄ）は図１（ａ１）のｍ−ｍ断面図である。図１（ｅ）は図１（ａ１）のｎ−ｎ断面図である。図１（ｆ）は転写ガイドＡと塗膜転写具を使用して，塗膜転写をしている状態を示す。
【００１９】
転写ガイドＡは，外スライド板１と内スライド板２の２枚の平板で構成される。外スライド板１と内スライド板２の平面上には，それぞれ一方が開口した長方形状の貫通長孔が設けられており，外スライド板１と内スライド板２を連結することにより，それぞれに設けられた前記長孔は，一つの長孔３として形成される。外スライド板１に対して内スライド板２をスライドさせることにより，転写ガイドＡ全体の長さを変更することができるとともに，前記長孔３の長さも変更することができる。転写ガイドＡは全体の長さが変更可能なので，持ち運び時や不使用時に小型な形状とすることが可能である。
【００２０】
外スライド板１と内スライド板２がスライドするスライド部の断面形状を図１（ｃ）に示す。図１（ｃ）に示すように，外スライド板１に設けた２箇所の凸部４と内スライド板２に設けた凹部５が摺動可能に嵌りあい，内スライド板２の両側部と外スライド板１の２箇所の側部ガイド６が摺動可能に嵌りあっているので，外スライド板１に対して内スライド板２が傾くことなく，図１（ａ１）の左右方向に互いに他方のスライド板に対して滑らかに，スライド可能となっている。スライド部の形状は，図１（ｃ）の形状に限定されるものではなく，外スライド板１と内スライド板２が，滑らかに摺動可能なものであれば，どのような形状としてもよい。
【００２１】
図１（ｄ）に示すように，内スライド板２に一定間隔で連続する断面が三角形状の切り込み８を設け，外スライド板１に切り込み８と係合する断面が三角形状のツメ部を有する係合ツメ９を設けている。係合ツメ９のツメ部は切り込み８と係合しているので，内スライド板２は，外スライド板１に対してスライドしないように固定されている。係合ツメ９は弾性片であり，切り込み８も係合ツメ９のツメ部も三角形状としているので，係合ツメ９が弾性変形して切り込み８から外れる以上の力で，内スライド板２をスライドさせると，係合ツメ９は弾性変形して，係合ツメ９のツメ部と切り込み８が係合しない状態となり，外スライド板１に対して内スライド板２をスライドすることができる。スライドを終えると，その位置で係合ツメ９のツメ部は切り込み８に係合する。このようにして，外スライド板１に対する内スライド板２の固定位置を変更することができる。係合ツメ９は弾性片であるので，転写ガイドＡの使用時に，使用者が外スライド板１の係合ツメ９がある部分（図１（ａ１）に７で示す部分）を指で押さえると，係合ツメ９の三角形状のツメ部が切り込み８と深く噛み合い，内スライド板２は外スライド板１に対してスライドしないように強く固定される。三角形状の切り込み８を等間隔で設けているので，外スライド板１に対する内スライド板２の固定位置は等間隔で変更することができる。外スライド板１に対する内スライド板２のスライド位置を固定する手段は，この方法に限定されるものではなく，内スライド板２を外スライド板１に対し固定できる手段であれば，どのような形状としてもよい。例えば，切り込み８の代わりに，切り込み８の位置にゴム板を設けてもよい。係合ツメ９の弾性力により，係合ツメ９がゴム板を押圧するので，外スライド板１に対して内スライド板２がスライドしないように固定される。係合ツメ９のツメ部とゴム板間の摩擦力以上の力で，内スライド板２をスライドさせると，係合ツメ９のツメ部はゴム板上をすべって，外スライド板１に対して内スライド板２をスライドすることができる。スライドを終えると，その位置で係合ツメ９のツメ部がゴム板を押圧して，外スライド板１に対して内スライド板２がスライドしないように固定される。
【００２２】
転写ガイドＡには，図１（ｂ１）の状態から，内スライド板２が外スライド板１に対して左方向へ移動しないようなストッパー（図示せず）を設けることが好ましい。このストッパーを設けることによって，外スライド板１から内スライド板２が外れることを防止できる。
【００２３】
転写ガイドＡを使用して塗膜を転写する際には，まず，外スライド板１に対して，内スライド板２をスライドさせて，長孔３の長さを塗膜転写したい長さに合わせる。次に長孔３の端部１０の一方を被転写面の塗膜転写を開始したい箇所に合わせ，他方の端部１０を被転写面の塗膜転写を終了したい箇所に合わせて，被転写面上に転写ガイドＡをセットする。次に外スライド板１の係合ツメ９がある部分７を指で押さえて転写ガイドＡを固定した状態で，塗膜転写具の転写ヘッドを被転写面に押圧しながら，塗膜転写具の転写ヘッドを転写ガイドＡの長孔３の一方の端部１０から他方の端部１０まで移動させると，被転写面の転写したい箇所に塗膜を転写することができる。
【００２４】
転写ガイドＡには，長孔３の幅よりも転写ヘッドの幅が小さい塗膜転写具を使用する。図１（ｆ）に示すように，長孔３の一方の長辺に塗膜転写具の転写ヘッドの端部を押し当てた状態で，転写ガイドＡの下に置いた被転写面に転写ヘッドを押圧しつつ，転写ヘッドを長孔３の長辺に沿って移動させることにより，目標の位置に，かつ真っ直ぐに塗膜を転写することができる。
【００２５】
また，図１（ｅ）に示すように，長孔３の端部１０の断面形状は，下端から上端までの連続する斜面としている。長孔３に沿って塗膜を転写した塗膜転写具の転写ヘッドが，この斜面に乗り上げると，斜面の下端位置で確実に塗膜を切ることができる。したがって，この端部１０を被転写面の塗膜転写の終点としたい箇所にセットして，端部１０の斜面に転写ヘッドが乗り上げるまで塗膜を転写することによって，塗膜転写の終了箇所で確実に塗膜を切ることができ，塗膜転写終了部を直線状とすることができる。
【００２６】
長孔３の端部１０の表面は、離型処理が施されていることが好ましい。離型処理を施すことにより、塗膜が端部１０の表面に接触しても塗膜が付着し難くなる。
【００２７】
離型処理の方法としては、端部１０の表面に離型層を直接塗布する方法と、離型層を塗布したプラスチックフィルムからなるシートを貼り付ける方法がある。
【００２８】
外スライド板１と内スライド板２の材料として、離型性を有するものを使用することによっても、端部１０の表面に塗膜が付着し難くなる。
【００２９】
離型性を有する材料としては、フッ素樹脂、シリコン樹脂、ポリプロピレン、ポリエチレン等が挙げられる。
【００３０】
また、図６に示すように，転写ガイドの長孔３の各長辺の両側又は片側には，長孔３が設けられた平板に対して垂直方向に突出する凸部である持ち手１１や，長孔３が設けられた平板から長孔の短辺方向に突出する凸部である持ち手１５を設けてもよい。転写ガイドを小型なものとすると，塗膜転写時に転写ガイドを手で保持することが困難となるが，このような持ち手を設けることによって，転写ガイドを指で保持し易くなり，転写ガイドの固定が容易になる。持ち手１１を設けた実施形態である転写ガイドＦＡの正面図を図６（ａ１）に，側面図を図６（ａ２）に示す。持ち手１５を設けた実施形態である転写ガイドＦＢの正面図を図６（ｂ１）に，側面図を図６（ｂ２）に示す。
【００３１】
図２に本発明の第２実施形態である塗膜転写具Ｂ１と転写ガイドＢのセットを示す。第１実施形態の転写ガイドＡは，転写ガイドＡの長孔３の幅よりも，転写ヘッドの幅が狭い任意の塗膜転写具を使用するものであったが，転写ガイドＢは専用の塗膜転写具Ｂ１とのセットで使用されるものである。転写ガイドＢは，長孔３の幅寸法を塗膜転写具Ｂ１の転写ヘッドの幅寸法に合わせたこと以外は，転写ガイドＡと同様である。
【００３２】
第２実施形態の塗膜転写具Ｂ１は，図２に示すようにケ−ス１６，カバー１７，塗膜を塗布した転写テ−プＴを巻き回した繰出しコア１８，繰出しコア１８を装着する繰出しプーリー１９，塗膜を紙等の被転写面に転写する転写ヘッド２０，塗膜を転写した後の基材テ−プＴ１を巻取る巻取りコア２３，及び繰出しプ−リ−１９の回転を巻取りコア２３に伝えるＯリング２２から構成されるものであるが，これに限定されるものではなく，転写ヘッドにて，転写テープから塗膜を転写する形態のものであれば，どのような形態のものであってもよい。
【００３３】
転写ガイドＢの長孔３の幅をＸ１，転写ガイドＢを使用して塗膜転写具Ｂ１で塗膜転写する場合に，長孔３内に挿通される部分の転写ヘッド２０の幅をＸ２とすると，Ｘ１はＸ２よりも大きく，Ｘ１とＸ２の差が０．２ｍｍ以上１．０ｍｍ以下であることが好ましく，０．２ｍｍ以上０．５ｍｍ以下であることがより好ましい。Ｘ１とＸ２の差が１．０ｍｍ以下であれば，転写ガイドＢと転写ヘッド２０間のすきまが小さく，転写ヘッド２０は長孔３の両側の長辺に案内されるので，より確実に目標とした被転写面の転写位置への塗膜転写が可能となる。ただし，Ｘ１とＸ２の差が０．２ｍｍ未満になると、転写ガイドＢと転写ヘッド２０間のすきまが小さすぎて，長孔３内に沿って転写ヘッド２０をスムーズに移動させることが困難になる。
【００３４】
図３に本発明の第３実施形態である塗膜転写具Ｃ１と転写ガイドＣのセットを示す。転写ガイドＣに塗膜転写具Ｃ１を保持する保持部を設けた以外は，塗膜転写具Ｃ１と転写ガイドＣのセットは、塗膜転写具Ｂ１と転写ガイドＢのセットと同様である。
【００３５】
転写ガイドＣの内スライド板２の端部には，アーム部１２が設けられるとともに，塗膜転写具Ｃ１には係合突起２５が設けられている。図３に示すように，塗膜転写具Ｃ１を転写ヘッド方向からアーム部１２に差し込むと，アーム部１２が弾性変形したのちに，塗膜転写具Ｃ１に設けた係合突起２５に係合する。アーム部１２と係合突起２５が係合することによって，塗膜転写具Ｃ１が転写ガイドＣに保持される。またアーム部１２を手で持ち上げることによって，アーム部１２と係合突起２５の係合を解除して，塗膜転写具Ｃ１を転写ガイドＣから取り外すことができる。なお，転写ガイドが塗膜転写具を保持する形態は本実施形態に限定されるものではなく，容易に塗膜転写具が保持でき，かつ容易に保持を解除して塗膜転写具を取り外すことができるものであれば，どのような形態であってもよい。
【００３６】
図４に本発明の第４実施形態の塗膜転写具Ｄ１と転写ガイドＤのセットを示す。図４（ａ）は塗膜転写具Ｄ１に転写ガイドＤを装着した状態を示す。図４（ｂ）は転写ガイドＤを伸ばした状態の正面図と側面図を示す。図４（ｃ）は転写ガイドＤを折り畳んだ状態の正面図と側面図である。図４（ｄ）は図４（ｃ）のｐ−ｐ断面図である。
【００３７】
本実施形態では転写ガイドＤは塗膜転写具Ｄ１の転写ヘッドカバー２４に一体に設けられる。また，転写ガイドＤ全体の長さは，転写ヘッドカバー２４にヒンジを介して連結された延長板２６を，ヒンジ部で折り畳み，又は伸ばすことにより，２段階に変更できる形態としている。また，延長板２６の長孔３の各長辺の両側の平板端部から長孔３の短辺方向に突出する２箇所の凸部２７が設けられている。転写ガイドＤは小型で手や指で固定することが困難なため，凸部２７を設けることによって，指で押さえられる部分を作り，転写ガイドＤの固定を容易にしている。
【００３８】
図４（ｄ）に示すように，延長板２６を折り畳むと，延長板２６に設けた係合部２９が弾性変形することによって，転写ヘッドカバー２４の側部の突起２８と係合して，延長板２６が転写ヘッドカバー２４に固定される。また，延長板２６をヒンジを中心に回転して伸ばそうとすると，係合部２９が弾性変形することによって，突起２８との係合が解除される。
【００３９】
転写ガイドＤすなわち転写ヘッドカバー２４と延長板２６の長孔３の幅は，塗膜転写具Ｄ１の転写ヘッド２０の幅よりも大きく，その差は０．２ｍｍ以上１．０ｍｍ以下であることが好ましく，０．２ｍｍ以上０．５ｍｍ以下であることがより好ましいことは，第２実施形態及び第３実施形態の塗膜転写具と転写ガイドのセットと同様である。
【００４０】
第４実施形態の転写ガイドＤは，第１〜３実施形態の転写ガイドと同様に，外スライド
板１に対して内スライド板２をスライドさせて，転写ガイド全体及び長孔の長さを変更する形態としてもよい。スライドにより長さを変更する実施形態である塗膜転写具Ｇ１を図７に示す。塗膜転写具Ｇ１用の転写ガイドＧは，塗膜転写具Ｇ１の転写ヘッドカバーと一体に設けられている以外は，第２実施形態の転写ガイドＢと同様である。
【００４１】
図５に本発明の第５実施形態の塗膜転写具Ｅ１と転写ガイドＥのセットを示す。図５（ａ１）は転写ガイド全体を長くした状態の正面図であり，図５（ａ２）は転写ガイド全体を長くした状態の側面図である。図５（ｂ）は塗膜転写具Ｅ１の転写ヘッドを押圧していない状態を示し，図５（ｃ）は塗膜転写具Ｅ１の転写ヘッドを押圧した状態を示す。図５（ｄ）は，図５（ａ２）のｑ−ｑ断面図である。図５（ｅ）は，転写ガイドＥにスベリ止め３０を貼り付けた状態を示す。
【００４２】
本実施形態の転写ガイドＥは，第１実施形態の転写ガイドＡの長孔３に沿って移動可能な転写台１３を設けたこと以外は転写ガイドＡと同様である。転写ガイドＥには転写台１３の移動を案内する２本の案内溝１４が設けられ，転写台１３の２箇所の案内片１３ａを案内溝１４内に挿入した状態で，転写台１３を案内溝１４沿って移動させることにより，転写台が真っ直ぐ直線状に移動できるようになっている。
【００４３】
転写台１３の開口部から塗膜転写具Ｅ１を装着すると，転写台１３に設けた係合片１３ｂが弾性変形したのち，図５（ｄ）に示すように塗膜転写具Ｅ１の係合部２９と係合し，塗膜転写具Ｅ１は転写台１３の所定の位置に係合固定される。
【００４４】
案内片１３ａを案内溝１４に挿入して，塗膜転写具Ｅ１を係合固定した転写台１３を転写ガイドＥに装着すると，転写台１３は図５（ｂ）のように転写ガイドＥにセットされる。すなわち，塗膜転写具Ｅ１の転写ヘッド２０は転写ガイドＥの下にある被転写面から浮き上がった状態にセットされる。この状態で，転写台１３を押して，塗膜転写具Ｅ１の転写ヘッド２０を被転写面に押圧すると，転写台１３の弾性部１３ｃが弾性変形するとともに，転写ヘッド２０が被転写面に押圧され，転写台１３は図５（ｃ）に示す状態となる。
【００４５】
転写ヘッド２０の押圧を維持した状態で，転写台１３を転写ガイドＥの案内溝１４に沿って移動させると，被転写面に真っ直ぐな直線状の塗膜を転写することができる。
【００４６】
塗膜転写が終了して，転写ヘッド２０の押圧を解除すると，弾性部１３ｃの弾性力により，転写台１３は図５（ｂ）に示す状態に戻る。
【００４７】
また転写ガイドＥの長孔３の端部１０を塗膜転写終了地点に合わせ，転写ヘッド２０が端部１０に乗り上げるまで転写すれば，塗膜転写を終了させようと意図した場所で，確実に塗膜を切ることができる点は，転写ガイドＡと同様である。
【００４８】
塗膜転写具Ｅ１は、案内片１３ａと弾性部１３ｃを設けた転写台１３に保持した状態で転写ガイドＥに装着する形態としたが、塗膜転写具自体に案内片１３ａと弾性部１３ｃを設けてもよい。このような形態とすることによって、塗膜転写具を直接転写ガイドに装着することができるとともに、転写台を使用しなくても、塗膜転写具を転写ガイドＥの案内溝１４に沿って移動させることができ，被転写面に真っ直ぐな直線状の塗膜を転写することができる。
【００４９】
図５（ｅ）に示すように，転写ガイドＥの被転写面と接触する面にスベリ止め３０を貼り付けてもよい。スベリ止め３０を貼りつけることにより，転写ガイドＥと被転写面が滑り難くなり，塗膜転写時に転写ガイドを強く押さえなくても，転写ガイドが動くことがないので，転写ガイドを使った塗膜転写がし易くなる。スベリ止めは被転写面との摩擦係数が大きいものであればよいが，特にニトリルブタジエンゴム等のゴム板が摩擦係数の点からは好ましい。
【符号の説明】
【００５０】
Ａ，Ｂ，Ｃ，Ｄ，Ｅ，ＦＡ，ＦＢ，Ｇ，Ｙ，Ｚ：転写ガイド
Ｂ１，Ｃ１，Ｄ１，Ｅ１，Ｇ１：塗膜転写具
Ｔ：転写テープ
Ｔ１：基材テープ
１：外スライド板
２：内スライド板
３：長孔
４：凸部
５：凹部
６：側部ガイド
７：外スライド板１の係合ツメ９がある部分
８：（三角形状の）切り込み
９：係合ツメ
１０：（長孔の）端部
１１：持ち手（平板に対して垂直方向に突出する凸部）
１２：アーム部
１３：転写台
１３ａ：案内片
１３ｂ：係合片
１３ｃ：弾性部
１４：案内溝
１５：持ち手（長孔３の短辺方向方向に突出する凸部）
１６：ケース
１７：カバー
１８：繰出しコア
１９：繰出しプーリー
２０：転写ヘッド
２１：押圧転写部
２２：Ｏリング
２３：巻取りコア
２４：転写ヘッドカバー
２５：係合突起
２６：延長板
２７：（延長板２６から突出する）凸部
２８：（転写ヘッドカバー２４の側部の）突起
２９：係合部
３０：スベリ止め
【図１】
2014213553.tif 000003
【図２】
2014213553.tif 000004
【図３】
2014213553.tif 000005
【図４】
2014213553.tif 000006
【図５】
2014213553.tif 000007
【図６】
2014213553.tif 000008
【図７】
2014213553.tif 000009
【図８】
2014213553.tif 000010
【図９】
2014213553.tif 000011